(57)【要約】【課題】  鏡筒ケースが結合された状態における変形及び歪みの発生を防止する。【解決手段】  レンズを保持する保持枠部をそれぞれ有し所定の方向において結合される第１の鏡筒ケースと第２の鏡筒ケースと第３の鏡筒ケースを備え、各保持枠部に鏡筒ケースが結合された状態において互いに突き当てられる複数の突き当て部がそれぞれ設けられ、突き当て部が他方の鏡筒ケースの突き当て部側に突出する形状に形成された。  これにより、複数の鏡筒ケースが結合された状態において突出する形状に形成された突き当て部同士が接触され、鏡筒ケースが結合された状態における変形及び歪みの発生が防止される。【選択図】        図２５
2013050554.tif 000002
【特許請求の範囲】
【請求項１】
光学部材を保持する保持枠部をそれぞれ有し所定の方向において結合される複数の鏡筒ケースを備え、
前記各保持枠部に前記鏡筒ケースが結合された状態において互いに突き当てられる複数の突き当て部がそれぞれ設けられ、
結合される少なくとも一方の前記鏡筒ケースの突き当て部が他方の前記鏡筒ケースの突き当て部側に突出する形状に形成された
レンズ鏡筒。
【請求項２】
互いに突き当てられる前記各突き当て部を突き当てられる前記突き当て部側に突出する形状に形成した
請求項１に記載のレンズ鏡筒。
【請求項３】
前記突き当て部を前記保持枠部に少なくとも三つ設けた
請求項１に記載のレンズ鏡筒。
【請求項４】
前記所定の方向において少なくとも三つの前記鏡筒ケースが結合され、
前記各鏡筒ケースに設けられ互いに突き当てられる前記突き当て部を鏡筒ケースの結合方向において一直線上に並ぶ位置に設けた
請求項１に記載のレンズ鏡筒。
【請求項５】
前記突き当て部に面接触される平面状の突き当て面が形成された
請求項１に記載のレンズ鏡筒。
【請求項６】
前記保持枠部の前記突き当て部が設けられた部分が前記保持枠部の他の部分より前記鏡筒ケースの結合方向に直交する方向において厚い厚肉部として設けられた
請求項１に記載のレンズ鏡筒。
【請求項７】
前記鏡筒ケースの前記保持枠部の外周側に、結合された前記各鏡筒ケースを取付ネジによって締結するネジ締結部が設けられた
請求項１に記載のレンズ鏡筒。
【請求項８】
前記各鏡筒ケースが結合された状態において、前記各ネジ締結部が非接触の状態とされた
請求項７に記載のレンズ鏡筒。
【請求項９】
撮像装置の筐体の内部に配置され、
前記鏡筒ケースに、前記筐体の内面に接触可能とされ前記内面側に突出された倒れ防止突部を設けた
請求項１に記載のレンズ鏡筒。
【請求項１０】
前記倒れ防止突部が前記筐体の内面に前記倒れ防止突部側へ突出して設けられた受け突部に対向して位置された
請求項９に記載のレンズ鏡筒。
【請求項１１】
前記鏡筒ケースの前記倒れ防止突部が設けられた面と反対側の面に傾き防止突部を設けた
請求項９に記載のレンズ鏡筒。
【請求項１２】
前記倒れ防止突部と前記傾き防止突部を前記結合方向に直交する方向において一直線上に並ぶ位置に設けた
請求項１１に記載のレンズ鏡筒。
【請求項１３】
前記鏡筒ケースが三つ結合され、
中央に位置する鏡筒ケースの倒れ防止突部と筐体の内面との間隔を、他の鏡筒ケースの倒れ防止突部と筐体の内面との間隔より小さくした
請求項９に記載のレンズ鏡筒。
【請求項１４】
前記鏡筒ケースが三つ結合され、
中央に位置する鏡筒ケースの傾き防止突部と筐体の内面との間隔を、他の鏡筒ケースの傾き防止突部と筐体の内面との間隔より小さくした
請求項１１に記載のレンズ鏡筒。
【請求項１５】
筐体と筐体の内部に配置され所定の光学部材を有し前記光学部材を介して光学像を取り込む鏡筒とを備え、
前記レンズ鏡筒は、
光学部材を保持する保持枠部をそれぞれ有し所定の方向において結合される複数の鏡筒ケースを備え、
前記各保持枠部に前記鏡筒ケースが結合された状態において互いに突き当てられる複数の突き当て部がそれぞれ設けられ、
結合される少なくとも一方の前記鏡筒ケースの突き当て部が他方の前記鏡筒ケースの突き当て部側に突出する形状に形成された
撮像装置。
【発明の詳細な説明】
【技術分野】
【０００１】
本技術はレンズ鏡筒及び撮像装置についての技術分野に関する。詳しくは、結合される各鏡筒ケースに互いに突き当てられる突き当て部を設けて鏡筒ケースが結合された状態における変形及び歪みの発生を防止する技術分野に関する。
【背景技術】
【０００２】
ビデオカメラ等の各種の撮像装置には、鏡筒ケースと鏡筒ケースに保持された所定の光学部材、例えば、レンズ、遮光板、絞り、アイリス、シャッター、光学フィルター、撮像素子等とを有するレンズ鏡筒が配置されているものがある。撮像装置においては、レンズ等の光学部材を介して被写体の画像が取り込まれ撮像素子によって光学像が電気的信号に変換されることにより撮影が行われる。
【０００３】
このような撮像装置には、上記のような各光学部材をそれぞれ保持する複数の鏡筒ケースが配置されたものがある（例えば、特許文献１参照）。
【０００４】
特許文献１に記載された撮像装置は、光路が直角に折り曲げられた所謂折曲光学系の装置であり、光路に沿って三つの鏡筒ケースが順に結合されている。このような折曲光学系の撮像装置は、鏡筒ケースの結合方向を被写体と撮影者を結ぶ方向に直交する方向にすることにより、被写体と撮影者を結ぶ方向である前後方向の薄型化を図ることができる。
【０００５】
【特許文献１】特開２０１０−２６００７号公報
【発明の開示】
【発明が解決しようとする課題】
【０００６】
ところが、特許文献１に記載された撮像装置にあっては、複数の鏡筒ケースが結合されてレンズ鏡筒が構成されているため、レンズ鏡筒の鏡筒ケースの結合方向における長さが長くなる傾向にあり、その分、変形や歪みが生じ易くなると言う問題がある。
【０００７】
また、上記のような変形や歪みの程度は、同一の製品においても製品間でバラツキがあり、発生する変形や歪みの程度の相違によって各製品間において光学的な解像性能のバラツキを生じるおそれがある。
【０００８】
特に、折曲光学系の撮像装置にあっては、所定の鏡筒ケースに保持されるレンズ群と他の鏡筒ケースに保持されるレンズ群との間の位置精度が光学性能に大きく影響するため、各鏡筒ケースの良好な結合状態を確保する要求が高い。
【０００９】
そこで、本技術レンズ鏡筒及び撮像装置は、上記した問題点を克服し、鏡筒ケースが結合された状態における変形及び歪みの発生を防止することを課題とする。
【課題を解決するための手段】
【００１０】
第１に、レンズ鏡筒は、上記した課題を解決するために、光学部材を保持する保持枠部をそれぞれ有し所定の方向において結合される複数の鏡筒ケースを備え、前記各保持枠部に前記鏡筒ケースが結合された状態において互いに突き当てられる複数の突き当て部がそれぞれ設けられ、結合される少なくとも一方の前記鏡筒ケースの突き当て部が他方の前記鏡筒ケースの突き当て部側に突出する形状に形成されたものである。
【００１１】
従って、レンズ鏡筒にあっては、複数の鏡筒ケースが結合された状態において、少なくとも一方が突出する形状に形成された突き当て部同士が接触される。
【００１２】
第２に、上記したレンズ鏡筒においては、互いに突き当てられる前記各突き当て部を突き当てられる前記突き当て部側に突出する形状に形成することが望ましい。
【００１３】
互いに突き当てられる各突き当て部を突き当てられる突き当て部側に突出する形状に形成することにより、複数の鏡筒ケースが結合された状態において、突き当て部に他の突き当て部以外の他の部分が接触し難い。
【００１４】
第３に、上記したレンズ鏡筒においては、前記突き当て部を前記保持枠部に少なくとも三つ設けることが望ましい。
【００１５】
突き当て部を保持枠部に少なくとも三つ設けることにより、複数の鏡筒ケースが結合された状態において、三つ以上の突き当て部同士が接触される。
【００１６】
第４に、上記したレンズ鏡筒においては、前記所定の方向において少なくとも三つの前記鏡筒ケースが結合され、前記各鏡筒ケースに設けられ互いに突き当てられる前記突き当て部を鏡筒ケースの結合方向において一直線上に並ぶ位置に設けることが望ましい。
【００１７】
所定の方向において少なくとも三つの鏡筒ケースが結合され、各鏡筒ケースに設けられ互いに突き当てられる突き当て部を鏡筒ケースの結合方向において一直線上に並ぶ位置に設けることにより、複数の鏡筒ケースが結合された状態において、一直線状において突き当て部同士が接触される。
【００１８】
第５に、上記したレンズ鏡筒においては、前記突き当て部に面接触される平面状の突き当て面が形成されることが望ましい。
【００１９】
突き当て部に面接触される平面状の突き当て面が形成されることにより、複数の鏡筒ケースが結合された状態において、突き当て部同士が面接触される。
【００２０】
第６に、上記したレンズ鏡筒においては、前記保持枠部の前記突き当て部が設けられた部分が前記保持枠部の他の部分より前記鏡筒ケースの結合方向に直交する方向において厚い厚肉部として設けられることが望ましい。
【００２１】
保持枠部の突き当て部が設けられた部分が保持枠部の他の部分より鏡筒ケースの結合方向に直交する方向において厚い厚肉部として設けられることにより、剛性の高い部分に突き当て部が設けられる。
【００２２】
第７に、上記したレンズ鏡筒においては、前記鏡筒ケースの前記保持枠部の外周側に、結合された前記各鏡筒ケースを取付ネジによって締結するネジ締結部が設けられることが望ましい。
【００２３】
鏡筒ケースの保持枠部の外周側に、結合された各鏡筒ケースを取付ネジによって締結するネジ締結部が設けられることにより、複数の鏡筒ケースが結合された状態において、突き当て部同士が接触する方向への力が生じ易い。
【００２４】
第８に、上記したレンズ鏡筒においては、前記各鏡筒ケースが結合された状態において、前記各ネジ締結部が非接触の状態とされることが望ましい。
【００２５】
各鏡筒ケースが結合された状態において、各ネジ締結部が非接触の状態とされることにより、複数の鏡筒ケースが結合された状態において、突き当て部同士が密着される。
【００２６】
第９に、上記したレンズ鏡筒においては、撮像装置の筐体の内部に配置され、前記鏡筒ケースに、前記筐体の内面に接触可能とされ前記内面側に突出された倒れ防止突部を設けることが望ましい。
【００２７】
撮像装置の筐体の内部に配置され、鏡筒ケースに、筐体の内面に接触可能とされ内面側に突出された倒れ防止突部を設けることにより、外力によりレンズ鏡筒に力が付与されたときに、倒れ防止突部が筐体の内面に接触可能とされる。
【００２８】
第１０に、上記したレンズ鏡筒においては、前記倒れ防止突部が前記筐体の内面に前記倒れ防止突部側へ突出して設けられた受け突部に対向して位置されることが望ましい。
【００２９】
倒れ防止突部が筐体の内面に倒れ防止突部側へ突出して設けられた受け突部に対向して位置されることにより、外力によりレンズ鏡筒に力が付与されたときに、倒れ防止突部が受け突部に接触可能とされる。
【００３０】
第１１に、上記したレンズ鏡筒においては、前記鏡筒ケースの前記倒れ防止突部が設けられた面と反対側の面に傾き防止突部を設けることが望ましい。
【００３１】
鏡筒ケースの倒れ防止突部が設けられた面と反対側の面に傾き防止突部を設けることにより、外力によりレンズ鏡筒に力が付与されたときに、傾き防止突部が筐体又は他の部分に接触可能とされる。
【００３２】
第１２に、上記したレンズ鏡筒においては、前記倒れ防止突部と前記傾き防止突部を前記結合方向に直交する方向において一直線上に並ぶ位置に設けることが望ましい。
【００３３】
倒れ防止突部と傾き防止突部を結合方向に直交する方向において一直線上に並ぶ位置に設けることにより、複数の鏡筒ケースが結合された状態において、一直線状において倒れ防止突部と傾き防止突部が筐体又は他の部分に接触可能とされる。
【００３４】
第１３に、上記したレンズ鏡筒においては、前記鏡筒ケースが三つ結合され、中央に位置する鏡筒ケースの倒れ防止突部と筐体の内面との間隔を、他の鏡筒ケースの倒れ防止突部と筐体の内面との間隔より小さくすることが望ましい。
【００３５】
鏡筒ケースが三つ結合され、中央に位置する鏡筒ケースの倒れ防止突部と筐体の内面との間隔を、他の鏡筒ケースの倒れ防止突部と筐体の内面との間隔より小さくすることにより、レンズ鏡筒のうち、外力の発生時に最も変形が生じ易い中央に位置する鏡筒ケースの倒れ防止突部が筐体の内面に最も接触し易くなる。
【００３６】
第１４に、上記したレンズ鏡筒においては、前記鏡筒ケースが三つ結合され、中央に位置する鏡筒ケースの傾き防止突部と筐体の内面との間隔を、他の鏡筒ケースの傾き防止突部と筐体の内面との間隔より小さくすることが望ましい。
【００３７】
鏡筒ケースが三つ結合され、中央に位置する鏡筒ケースの傾き防止突部と筐体の内面との間隔を、他の鏡筒ケースの傾き防止突部と筐体の内面との間隔より小さくすることにより、レンズ鏡筒のうち、外力の発生時に最も変形が生じ易い中央に位置する鏡筒ケースの傾き防止突部が筐体又は他の部分に最も接触し易くなる。
【００３８】
撮像装置は、上記した課題を解決するために、筐体と筐体の内部に配置され所定の光学部材を有し前記光学部材を介して光学像を取り込む鏡筒とを備え、前記レンズ鏡筒は、光学部材を保持する保持枠部をそれぞれ有し所定の方向において結合される複数の鏡筒ケースを備え、前記各保持枠部に前記鏡筒ケースが結合された状態において互いに突き当てられる複数の突き当て部がそれぞれ設けられ、結合される少なくとも一方の前記鏡筒ケースの突き当て部が他方の前記鏡筒ケースの突き当て部側に突出する形状に形成されたものである。
【００３９】
従って、撮像装置にあっては、複数の鏡筒ケースが結合された状態において、少なくとも一方が突出する形状に形成された突き当て部同士が接触される。
【発明の効果】
【００４０】
本技術レンズ鏡筒は、光学部材を保持する保持枠部をそれぞれ有し所定の方向において結合される複数の鏡筒ケースを備え、前記各保持枠部に前記鏡筒ケースが結合された状態において互いに突き当てられる複数の突き当て部がそれぞれ設けられ、結合される少なくとも一方の前記鏡筒ケースの突き当て部が他方の前記鏡筒ケースの突き当て部側に突出する形状に形成されている。
【００４１】
従って、複数の鏡筒ケースが結合された状態において、少なくとも一方が突出する形状に形成された突き当て部同士が接触されるため、複数の鏡筒ケースが結合された状態において変形及び歪みの発生を防止することができる。
【００４２】
請求項２に記載した技術にあっては、互いに突き当てられる前記各突き当て部を突き当てられる前記突き当て部側に突出する形状に形成している。
【００４３】
従って、突き当て部間の良好な接触状態が確保され、レンズ鏡筒における変形及び歪みの発生を一層防止することができる。
【００４４】
請求項３に記載した技術にあっては、前記突き当て部を前記保持枠部に少なくとも三つ設けている。
【００４５】
従って、複数の鏡筒ケースの安定した結合状態が確保されレンズ鏡筒における変形及び歪みの発生を防止することができる。
【００４６】
請求項４に記載した技術にあっては、前記所定の方向において少なくとも三つの前記鏡筒ケースが結合され、前記各鏡筒ケースに設けられ互いに突き当てられる前記突き当て部を鏡筒ケースの結合方向において一直線上に並ぶ位置に設けている。
【００４７】
従って、複数の鏡筒ケースの安定した結合状態が確保され、複数の鏡筒ケースが結合された状態における変形及び歪みの発生を防止することができる。
【００４８】
請求項５に記載した技術にあっては、前記突き当て部に面接触される平面状の突き当て面が形成されている。
【００４９】
従って、突き当て部が面接触され、レンズ鏡筒における変形及び歪みの発生を一層効果的に防止することができる。
【００５０】
請求項６に記載した技術にあっては、前記保持枠部の前記突き当て部が設けられた部分が前記保持枠部の他の部分より前記鏡筒ケースの結合方向に直交する方向において厚い厚肉部として設けられている。
【００５１】
従って、厚肉部である剛性の高い部分に設けられた突き当て部が互いに突き当てられるため、レンズ鏡筒が組み立てられた状態における強度が高く、変形や歪みの発生を効果的に防止することができる。
【００５２】
請求項７に記載した技術にあっては、前記鏡筒ケースの前記保持枠部の外周側に、結合された前記各鏡筒ケースを取付ネジによって締結するネジ締結部が設けられている。
【００５３】
従って、取付ネジによってそれぞれ保持枠部に設けられた突き当て部が互いに近付く方向への力が生じ易く、突き当て部同士を確実に接触させることができる。
【００５４】
請求項８に記載した技術にあっては、前記各鏡筒ケースが結合された状態において、前記各ネジ締結部が非接触の状態とされている。
【００５５】
従って、取付ネジによってそれぞれ保持枠部に設けられた突き当て部同士が密着され、突き当て部同士の良好な接触状態を確保することができる。
【００５６】
請求項９に記載した技術にあっては、撮像装置の筐体の内部に配置され、前記鏡筒ケースに、前記筐体の内面に接触可能とされ前記内面側に突出された倒れ防止突部を設けている。
【００５７】
従って、外力によりレンズ鏡筒に力が付与されたときに、倒れ防止突部が筐体の内面に接触可能とされ、外力によるレンズ鏡筒の変形及び歪みの発生を防止することができる。
【００５８】
請求項１０に記載した技術にあっては、前記倒れ防止突部が前記筐体の内面に前記倒れ防止突部側へ突出して設けられた受け突部に対向して位置されている。
【００５９】
従って、外力によりレンズ鏡筒に力が付与されたときに、倒れ防止突部が受け突部に接触可能とされ、受け突部によって筐体の剛性が高くされており、外力が発生したときのレンズ鏡筒の変形及び歪みの発生を防止することができる。
【００６０】
請求項１１に記載した技術にあっては、前記鏡筒ケースの前記倒れ防止突部が設けられた面と反対側の面に傾き防止突部を設けている。
【００６１】
従って、外力によりレンズ鏡筒に力が付与されたときに、傾き防止突部が筐体又は他の部分に接触可能とされ、外力によるレンズ鏡筒の変形及び歪みの発生を防止することができる。
【００６２】
請求項１２に記載した技術にあっては、前記倒れ防止突部と前記傾き防止突部を前記結合方向に直交する方向において一直線上に並ぶ位置に設けている。
【００６３】
従って、倒れ防止突部と傾き防止突部によって外力によるレンズ鏡筒の変形及び歪みの発生の防止効果を高めることができる。
【００６４】
請求項１３に記載した技術にあっては、前記鏡筒ケースが三つ結合され、中央に位置する鏡筒ケースの倒れ防止突部と筐体の内面との間隔を、他の鏡筒ケースの倒れ防止突部と筐体の内面との間隔より小さくしている。
【００６５】
従って、レンズ鏡筒のうち、外力の発生時に最も変形が生じ易い中央に位置する鏡筒ケースの倒れ防止突部が筐体の内面に最も接触し易いため、レンズ鏡筒の変形及び歪みを効果的に防止することができる。
【００６６】
請求項１４に記載した技術にあっては、前記鏡筒ケースが三つ結合され、中央に位置する鏡筒ケースの傾き防止突部と筐体の内面との間隔を、他の鏡筒ケースの傾き防止突部と筐体の内面との間隔より小さくしている。
【００６７】
従って、レンズ鏡筒のうち、外力の発生時に最も変形が生じ易い中央に位置する鏡筒ケースの傾き防止突部が筐体又は他の部分に最も接触し易いため、レンズ鏡筒の変形及び歪みを効果的に防止することができる。
【００６８】
本技術撮像装置は、筐体と筐体の内部に配置され所定の光学部材を有し前記光学部材を介して光学像を取り込む鏡筒とを備え、前記レンズ鏡筒は、光学部材を保持する保持枠部をそれぞれ有し所定の方向において結合される複数の鏡筒ケースを備え、前記各保持枠部に前記鏡筒ケースが結合された状態において互いに突き当てられる複数の突き当て部がそれぞれ設けられ、結合される少なくとも一方の前記鏡筒ケースの突き当て部が他方の前記鏡筒ケースの突き当て部側に突出する形状に形成されている。
【００６９】
従って、複数の鏡筒ケースが結合された状態において、少なくとも一方が突出する形状に形成された突き当て部同士が接触されるため、複数の鏡筒ケースが結合された状態において変形及び歪みの発生を防止することができる。
【発明を実施するための最良の形態】
【００７０】
以下に、本技術を実施するための最良の形態を添付図面に従って説明する。
【００７１】
以下に示した最良の形態は、本技術撮像装置をスチルカメラに適用し、本技術レンズ鏡筒をこのスチルカメラに設けられたレンズ鏡筒に適用したものである。尚、本技術の適用範囲はスチルカメラ及びこのスチルカメラに設けられたレンズ鏡筒に限られることはない。本技術は、例えば、ビデオカメラ、携帯電話等の他の機器に組み込まれるカメラ等の各種の撮像装置及びこれらの各種の撮像装置に設けられるレンズ鏡筒に広く適用することができる。
【００７２】
以下の説明にあっては、スチルカメラの撮影時において撮影者から見た方向で前後上下左右の方向を示すものとする。従って、被写体側が前方となり、撮影者側が後方となる。
【００７３】
尚、以下に示す前後上下左右の方向は説明の便宜上のものであり、本技術の実施に関しては、これらの方向に限定されることはない。
【００７４】
［撮像装置の概略構成］
撮像装置１００は筐体１０１の内外に所要の各部が配置されて成る（図１乃至図３参照）。
【００７５】
筐体１０１の上面には各種の操作部１０２、１０２、・・・が配置されている。操作部１０２、１０２、・・・としては、例えば、電源釦やシャッター釦等が設けられている。
【００７６】
筐体１０１の前面にはフラッシュ窓１０３及びレンズ窓１０４が配置されている。筐体１０１の前面には開閉蓋１０５が上下方向へスライド自在に支持されており、開閉蓋１０５が上下方向へスライドされることによってフラッシュ窓１０３及びレンズ窓１０４が開閉される（図１及び図２参照）。
【００７７】
筐体１０１の後面には各種の操作部１０６、１０６、・・・が配置されている（図３参照）。操作部１０６、１０６、・・・としては、例えば、ズームスイッチやモード切替摘子等が設けられている。筐体１０１の後面には表示ディスプレイ１０７が配置されている。
【００７８】
［レンズ鏡筒の構成］
筐体１０１の内部にはレンズ鏡筒１が配置されている（図４乃至図７参照）。レンズ鏡筒１は第１の鏡筒ケース２と第２の鏡筒ケース３と第３の鏡筒ケース４を有し、第１の鏡筒ケース２と第２の鏡筒ケース３と第３の鏡筒ケース４にそれぞれ光学部材を含む所定の各部が保持されている。光学部材としては、例えば、レンズ、遮光板、絞り、アイリス、シャッター、光学フィルター、撮像素子等が設けられている。
【００７９】
第１の鏡筒ケース２はベース保持部５とベース保持部５から左方へ突出されたユニット取付部６とベース保持部５から右方へ突出されたモーター配置部７とが一体に形成されて成る（図８乃至図１０参照）。
【００８０】
ベース保持部５は下側略半分の部分が下方に開口された箱状の保持枠部８として設けられている。保持枠部８は上下に延びる角筒状の周面部９と周面部９の上端部に連続された枠部１０とから成る。
【００８１】
周面部９の下面９ａは横長の略矩形状に形成され、下面９ａの４隅には突き当て部１１、１１、・・・が設けられている。突き当て部１１、１１、・・・は僅かに下方へ突出されており、先端面（下面）が突き当て面１１ａ、１１ａ、・・・として形成されている。周面部９の突き当て部１１、１１、・・・が設けられた部分は厚肉部９ｂ、９ｂ、・・・として設けられ、厚肉部９ｂ、９ｂ、・・・は周面部９の前面部９ｃと後面部９ｄより前後の厚さが厚く形成されている。
【００８２】
枠部１０には下方に開口された軸受穴１０ａが形成されている。
【００８３】
ベース保持部５の上側略半分の部分は部材取付部１２として設けられている。部材取付部１２には前面に矩形の開口部１２ａが形成され、開口部１２ａの後側の部分が配置空間１２ｂとして形成されている。
【００８４】
周面部９と部材取付部１２の間には両者を連通する連通孔１３が形成され。連通孔１３は枠部１０に形成されている。
【００８５】
ユニット取付部６は下方に開口された縦長の箱状に形成され、左側面部から上面部に亘る部分に内外に貫通された挿入用スリット６ａを有している。ユニット取付部６の上端部には上下に貫通されたピン取付孔６ｂが形成されている。
【００８６】
モーター配置部７は下方に開口された箱状に形成されている。
【００８７】
第１の鏡筒ケース２の下端部には下方に開口された位置決め穴１４、１４が左右に離隔して形成されている。
【００８８】
第１の鏡筒ケース２の左右両端部にはネジ締結部１５、１５、１５が設けられている。ネジ締結部１５には下方に開口されたネジ締結穴１５ａが形成され、ネジ締結穴１５ａの下側開口縁の外周側に円環状の座面部１５ｂが設けられている。座面部１５ｂは第１の鏡筒ケース２の下面２ａに設けられ下方に僅かに突出されている。
【００８９】
第１の鏡筒ケース２の前面２ｂには左右に離隔して倒れ防止突部１６、１６が設けられ、倒れ防止突部１６、１６は僅かに前方へ突出されている。
【００９０】
第１の鏡筒ケース２の後面２ｃには左右に離隔して傾き防止突部１７、１７が設けられ、倒れ防止突部１７、１７は僅かに後方へ突出されている。
【００９１】
第２の鏡筒ケース３は横長の形状に形成され、左右方向における中央の部分が保持枠部１８とされ、保持枠部１８の左側の部分が機構支持部１９とされ、保持枠部１８の右側の部分がモーター取付部２０とされている（図１１乃至図１４参照）。
【００９２】
保持枠部１８は上方に開口された箱状に形成され、上下に延びる角筒状の周壁部２１と周壁部２１の下端部に連続された枠壁部２２とを有している。保持枠部１８には上方に開口された軸受穴１８ａが形成されている。
【００９３】
周壁部２１の上面２１ａは横長の略矩形状に形成され、上面２１ａの４隅には突き当て部２３、２３、・・・が設けられている。突き当て部２３、２３、・・・は僅かに上方へ突出されており、先端面（上面）が突き当て面２３ａ、２３ａ、・・・として形成されている。周壁部２１の突き当て部２３、２３、・・・が設けられた部分は厚肉部２１ｂ、２１ｂ、・・・として設けられ、厚肉部２１ｂ、２１ｂ、・・・は周壁部２１の前面部２１ｃと後面部２１ｄより前後の厚さが厚く形成されている。
【００９４】
枠壁部２２の下面２２ａの４隅には突き当て部２４、２４、・・・が設けられている。突き当て部２４、２４、・・・は僅かに下方へ突出されており、先端面（下面）が突き当て面２４ａ、２４ａ、・・・として形成されている。枠壁部２２の突き当て部２４、２４、・・・が設けられた部分は厚肉部２２ｂ、２２ｂ、・・・として設けられ、厚肉部２２ｂ、２２ｂ、・・・は枠壁部２２の前端部２２ｃと後端部２２ｄより前後の厚さが厚く形成されている。
【００９５】
機構支持部１９の上面側には上方に開口された軸受穴１９ａが形成されている。機構支持部１９の下面側には下方に開口された軸受穴１９ｂが形成されている。機構支持部１９の下面には下方へ突出された支持軸１９ｃが設けられている。機構支持部１９の下面には下方へ突出された支持ピン１９ｄ、１９ｄ、１９ｄが設けられている。
【００９６】
モーター取付部２０は上方に開口された箱状に形成されている。モーター取付部２０には上下に貫通されたピン挿通孔２０ａが形成され、ピン挿通孔２０ａは略円弧状に形成されている。
【００９７】
第２の鏡筒ケース３の上端部にはそれぞれ上方に突出された位置決めピン２５、２５が左右に離隔して設けられ、第２の鏡筒ケース３の下端部にはそれぞれ下方に突出された位置決めピン２６、２６が左右に離隔して設けられている。
【００９８】
第２の鏡筒ケース３の左右両端部にはネジ締結部２７、２７、２７が設けられている。ネジ締結部２７には上下に貫通されたネジ挿通孔２７ａが形成され、ネジ挿通孔２７ａの上側開口縁の外周側と下側開口縁の外周側にそれぞれ円環状の座面部２７ｂ、２７ｃが設けられている。座面部２７ｂ、２７ｃはそれぞれ第２の鏡筒ケース３の上面３ａと下面３ｂに設けられそれぞれ上方と下方に僅かに突出されている。
【００９９】
第２の鏡筒ケース３の前面３ｃには左右に離隔して倒れ防止突部２８、２８が設けられ、倒れ防止突部２８、２８は僅かに前方へ突出されている。
【０１００】
第２の鏡筒ケース３の後面３ｄには左右に離隔して傾き防止突部２９、２９が設けられ、倒れ防止突部２９、２９は僅かに後方へ突出されている。
【０１０１】
第３の鏡筒ケース４は保持ベース部３０と保持ベース部３０の左側に連続して設けられた機構取付部３１とから成る（図１５乃至図１７参照）。
【０１０２】
保持ベース部３０は縦長の角筒状に形成された保持枠部３２と保持枠部３２の上端部からそれぞれ左右に突出された突状部３３、３４とから成る。
【０１０３】
保持枠部３２の内周面には上下に延びるガイド部３５が設けられている。
【０１０４】
保持枠部３２の上面３２ａの４隅には突き当て部３６、３６、・・・が設けられている。突き当て部３６、３６、・・・は僅かに上方へ突出されており、先端面（上面）が突き当て面３６ａ、３６ａ、・・・として形成されている。保持枠部３２の突き当て部３６、３６、・・・が設けられた部分は厚肉部３６ｂ、３６ｂ、・・・として設けられ、保持枠部３２の前面部３２ｂと後面部３２ｃより前後の厚さが厚く形成されている。
【０１０５】
保持枠部３２の下端部には上方に開口された軸受穴３２ｄが形成されている。
【０１０６】
保持枠部３２の右側面部には保持枠部３２の内外を連通する部材挿通孔３２ｅが形成されている。
【０１０７】
機構取付部３１には左方に開口された配置用凹部３１ａが形成されている。
【０１０８】
第３の鏡筒ケース４の上端部には上方に開口された位置決め穴３７、３７が左右に離隔して形成されている。
【０１０９】
第３の鏡筒ケース４の突状部３３、３４にはそれぞれネジ締結部３８、３８、３８が設けられている。ネジ締結部３８には上下に貫通されたネジ挿通孔３８ａが形成され、ネジ挿通孔３８ａの上側開口縁の外周側に円環状の座面部３８ｂが設けられている。座面部３８ｂは第３の鏡筒ケース４の上面４ａに設けられ上方に僅かに突出されている。
【０１１０】
第３の鏡筒ケース４の前面４ｂの下端部には左右に離隔して倒れ防止突部３９、３９が設けられ、倒れ防止突部３９、３９は僅かに前方へ突出されている。
【０１１１】
第３の鏡筒ケース４の後面４ｃには左右に離隔して傾き防止突部４０、４０が設けられ、倒れ防止突部４０、４０は僅かに後方へ突出されている。
【０１１２】
第１の鏡筒ケース２の部材取付部１２に形成された配置空間１２ｂには前側から順に第１レンズ４１と遮光シート４２と第２レンズ４３が開口部１２ａから挿入されて配置される（図６及び図７参照）。第１レンズ４１は最も被写体側において前後を向いて配置される。遮光シート４２は矩形の枠状に形成されている。第２レンズ４１は第１レンズ４１から取り込まれた光を下方へ直角に折り曲げる直角プリズムである。
【０１１３】
第１の鏡筒ケース２のユニット取付部６には偏心ピン４４が取り付けられる。偏心ピン４４はピン取付孔６ｂに挿入されてユニット取付部６に取り付けられる。
【０１１４】
ユニット取付部６には駆動ユニット４５が挿入用スリット６ａから挿入されて取り付けられる。駆動ユニット４５はブラケット４５ａとブラケット４５ａに回転自在に支持された送りネジ４５ｂと送りネジ４５ｂを回転させるモーター４５ｃとを有している。駆動ユニット４５はブラケット４５ａがネジ止め等によってユニット取付部６に取り付けられる。
【０１１５】
第１の鏡筒ケース２の保持枠部８の枠部１０には第３レンズ４６が取り付けられる。第３レンズ４６は連通孔１３を覆う位置に取り付けられる。
【０１１６】
第１の鏡筒ケース２に取り付けられた偏心ピン４４と第２の鏡筒ケース３の軸受穴１９ａとの間には第１のガイド軸４７が取り付けられ、第１の鏡筒ケース２の軸受穴１０ａと第２の鏡筒ケース３の軸受穴１８ａとの間には第２のガイド軸４８が取り付けられている。第１の鏡筒ケース２の内部には第３レンズ４６の下側に遮光シート４９が取り付けられる。
【０１１７】
第１のガイド軸４７と第２のガイド軸４８にはズーム移動枠５０が移動自在に支持される。ズーム移動枠５０は第１の鏡筒ケース２の内部に位置され、ズーム移動枠５０の外周縁には前後左右に離隔した位置にそれぞれ切欠縁５０ａ、５０ａ、・・・が形成されている（図１８参照）。ズーム移動枠５０にはナット取付部５０ｂが設けられている。
【０１１８】
ズーム移動枠５０には第４レンズ５１と第５レンズ５２と第６レンズ５３が上方側から順に取り付けられている（図６及び図７参照）。
【０１１９】
ズーム移動枠５０のナット取付部５０ｂにはナット部材５４が取り付けられている。ナット部材５４は駆動ユニット４５の送りネジ４５ｂに噛合されている。従って、モーター４５ｃの駆動力によって送りネジ４５ｂが回転されると、送りネジ４５ｂの回転方向に応じた方向へナット部材５４が送られ、ナット部材５４に伴ってズーム移動枠５０、第４レンズ５１、第５レンズ５２及び第６レンズ５３が上下方向へ移動される。
【０１２０】
第２の鏡筒ケース３のモーター取付部２０の上面にはアイリスモーター５５がネジ止め等によって取り付けられる。アイリスモーター５５の出力軸５５ａには羽根駆動部材５６が取り付けられている。羽根駆動部材５６は出力軸５５ａを中心とした円弧状に位置する二つの駆動ピン５６ａ、５６ａを有している。アイリスモーター５５がモーター取付部２０に取り付けられた状態において、羽根駆動部材５６の駆動ピン５６ａ、５６ａがピン挿通孔２０ａに上側から挿通される。
【０１２１】
第２の鏡筒ケース３の下面３ｂ側にはアイリス羽根５７、５７が回動自在に支持されている。アイリス羽根５７、５７は第２の鏡筒ケース３の下面側に取り付けられる羽根押さえ部材５８によって下方から押さえられた状態で第２の鏡筒ケース３に支持される。
【０１２２】
アイリス羽根５７、５７はそれぞれ２カ所ずつに形成された長穴に機構支持部１９の支持ピン１９ｄ、１９ｄ、１９ｄが挿入されている。アイリス羽根５７、５７は支持ピン１９ｄ、１９ｄ、１９ｄに案内されて第２の鏡筒ケース３に直動方向に移動可能に支持され、他端部が羽根駆動部材５６の駆動ピン５６ａ、５６ａに摺動自在に支持されている。従って、アイリス羽根５６、５６はアイリスモーター５５の駆動力によって羽根駆動部材５６が回転されることにより直動されて光量の遮蔽状態を変更する。
【０１２３】
第２の鏡筒ケース３の保持枠部１８の枠壁部２２には第７レンズ５９が取り付けられている。
【０１２４】
第３の鏡筒ケース４の機構取付部３１には配置用凹部３１ａに機構ユニット６０が取り付けられる。機構ユニット６０はブラケット６０ａとブラケット６０ａに回転自在に支持された送りネジ６０ｂと送りネジ６０ｂを回転させるモーター６０ｃとを有している。機構ユニット６０はブラケット６０ａがネジ止め等によって機構取付部３１に取り付けられる。
【０１２５】
第２の鏡筒ケース３の軸受穴１９ｂと第３の鏡筒ケース４の軸受穴３２ｄの間には第３のガイド軸６１が取り付けられている。
【０１２６】
第３のガイド軸６１と第３の鏡筒ケース４に設けられたガイド軸部３５とにはフォーカス移動枠６２が移動自在に支持される。フォーカス移動枠６２は第３の鏡筒ケース４の内部に位置され、フォーカス移動枠６２の外周縁には前後左右に離隔した位置にそれぞれ切欠縁６２ａ、６２ａ、・・・が形成されている（図１９参照）。フォーカス移動枠６２にはナット取付部６２ｂが設けられている。
【０１２７】
フォーカス移動枠６２には第８レンズ６３と第９レンズ６４と環状の遮光シート６５とが上方側から順に取り付けられている（図６及び図７参照）。
【０１２８】
フォーカス移動枠６２のナット取付部６２ｂにはナット部材６６が取り付けられている。ナット部材６６は部材挿通孔３２ｅを介して機構ユニット６０の送りネジ６０ｂに噛合されている。従って、モーター６０ｃの駆動力によって送りネジ６０ｂが回転されると、送りネジ６０ｂの回転方向に応じた方向へナット部材６６が送られ、ナット部材６６に伴ってフォーカス移動枠６２、第８レンズ６３、第９レンズ６４及び遮光シート６５が上下方向へ移動される。
【０１２９】
第３の鏡筒ケース４の保持ベース部３０の内部には押さえ部材６７と第１０レンズ６８が取り付けられている。第１０レンズ６８は押さえ部材６７に上方から押さえられている。
【０１３０】
第３の鏡筒ケース４の保持ベース部３０の内部には防振ユニット６９が配置されている。防振ユニット６９はケース体７０に所要の各部が配置されて成る。ケース体７０は第１のケース部７１と第２のケース部７２が上下で結合されて成る。第１のケース部７１と第２のケース部７２はそれぞれ内部が収納配置部７１ａ、７２ａとして形成されている。
【０１３１】
上側に位置する第１のケース部７１にはコイル体７３と磁性体７４が取り付けられて配置される。コイル体７３は駆動コイル７３ａ、７３ａ、７３ａが結合されて成る。コイル体７３は第２のケース部７２に取り付けられる。磁性体７４はＵ字状のヨーク７４ａとヨーク７４ａに取り付けられ対向して位置されたマグネット７４ｂ、７４ｂとから成る。
【０１３２】
下側に位置する第２のケース部７２には移動ベース７５が前後方向へ移動自在に支持される。移動ベース７５は第１の案内軸７６、７６を介して第２のケース部７２に移動自在に支持される。
【０１３３】
移動ベース７５にはレンズ保持枠７７が左右方向へ移動自在に支持される。レンズ保持枠７７は被支持部７７ａとレンズ保持部７７ｂが一体に形成されている。レンズ保持枠７７は被支持部７７ａが第２の案内軸７８、７８を介して移動ベース７５に左右方向へ移動自在に支持される。レンズ保持部７７ｂには第１１レンズ７９が取り付けられている。レンズ保持枠７７には磁性体７４が取り付けられる。
【０１３４】
第３の鏡筒ケース４の下端部には第１２レンズ８０が取り付けられている。第３の鏡筒ケース４の前後両面にはそれぞれ遮蔽シート８１、８１が貼り付けられる。
【０１３５】
［レンズ鏡筒のレンズ構成等］
上記のように構成されたレンズ鏡筒１のレンズ構成等について説明する（図２０参照）。
【０１３６】
レンズ鏡筒１は物体側（被写体側）から像側へ順に第１レンズ群９０、第２レンズ群９１、第３レンズ群９２、第４レンズ群９３及び第５レンズ群９４が配置されている。
【０１３７】
第１レンズ群９０は固定群であり、物体側から像側へ順に光軸Ｓ上に配置された第１レンズ４１と第２レンズ４３と第３レンズ４６から成り、第１の鏡筒ケース２に取り付けられている。第２レンズ４３は直角プリズムであり、光軸Ｓが９０°折り曲げられている。従って、光軸Ｓは物体側から第２レンズ４３までが前後方向に延びるように形成され、第２レンズ４３から像側が上下方向に延びるように形成されている。
【０１３８】
第２レンズ群９１は可動群（ズーム移動群）であり、物体側から像側へ順に光軸Ｓ上に配置された第４レンズ５１と第５レンズ５２と第６レンズ５３から成り、ズーム移動枠５０に取り付けられている。第５レンズ５２と第６レンズ５３は接合レンズとして設けられている。
【０１３９】
第３レンズ群９２は固定群であり、光軸Ｓ上に配置された第７レンズ５９から成り、アイリス羽根（絞り）５７、５７とともに第２の鏡筒ケース３に取り付けられている。
【０１４０】
第４レンズ群９３は可動群（フォーカス移動群）であり、物体側から像側へ順に光軸Ｓ上に配置された第８レンズ６３と第９レンズ６４から成り、フォーカス移動枠６２に取り付けられている。第８レンズ６３と第９レンズ６４は接合レンズとして設けられている。
【０１４１】
第５レンズ群９４は固定群であり、物体側から像側へ順に光軸Ｓ上に配置された第１０レンズ６８と第１１レンズ７９と第１２レンズ８０から成り、第１０レンズ６８と第１２レンズ８０が第３の鏡筒ケース４に取り付けられている。第１１レンズ７９は防振ユニット６９のレンズ保持枠７７に取り付けられて防振レンズとして機能し、光軸Ｓに直交する２方向へ移動されてぶれ補正を行う。
【０１４２】
第３の鏡筒ケース４の下端部には撮像ユニット８２が取り付けられる。撮像ユニット８２は第５レンズ群９４の像側に配置され、物体側から像側へ順に赤外線カットフィルター８３と撮像素子８４を有している。
【０１４３】
［鏡筒ケースの組立］
以下に、鏡筒ケースの組立について説明する（図２１乃至図２６参照）。
【０１４４】
第１の鏡筒ケース２と第２の鏡筒ケース３と第３の鏡筒ケース４は上記した各部が取り付けられた状態において、上側から順に結合されて組み立てられる。
【０１４５】
第１の鏡筒ケース２と第２の鏡筒ケース３の組立は、図２１に示すように、第１の鏡筒ケース２の位置決め穴１４、１４にそれぞれ第２の鏡筒ケース３の位置決めピン２５、２５を挿入して結合することにより行う。位置決め穴１４、１４にそれぞれ位置決めピン２５、２５が挿入された状態においては、図２２に示すように、第１の鏡筒ケース２の突き当て部１１、１１、・・・の突き当て面１１ａ、１１ａ、・・・と第２の鏡筒ケース３の突き当て部２３、２３、・・・の突き当て面２３ａ、２３ａ、・・・とがそれぞれ面接触されている。また、第１の鏡筒ケース２のネジ締結部１５、１５、・・・の座面部１５ｂ、１５ｂ、・・・と第２の鏡筒ケース３のネジ締結部２７、２７、・・・の座面部２７ｂ、２７ｂ、・・・との間にはそれぞれ僅かな隙間が形成されている。
【０１４６】
第２の鏡筒ケース３と第３の鏡筒ケース４の組立は、図２３に示すように、第２の鏡筒ケース３の位置決めピン２６、２６をそれぞれ第３の鏡筒ケース４の位置決め穴３７、３７に挿入して結合することにより行う。位置決めピン２６、２６がそれぞれ位置決め穴３７、３７に挿入された状態においては、図２４に示すように、第２の鏡筒ケース３の突き当て部２４、２４、・・・の突き当て面２４ａ、２４ａ、・・・と第３の鏡筒ケース４の突き当て部３６、３６、・・・の突き当て面３６ａ、３６ａ、・・・とがそれぞれ面接触されている。また、第２の鏡筒ケース３のネジ締結部２７、２７、・・・の座面部２７ｃ、２７ｃ、・・・と第３の鏡筒ケース４のネジ締結部３８、３８、・・・の座面部３８ｂ、３８ｂ、・・・との間にはそれぞれ僅かな隙間が形成されている。
【０１４７】
上記のように、第１の鏡筒ケース２と第２の鏡筒ケース３が結合され第２の鏡筒ケース３と第３の鏡筒ケース４が結合された状態（図２５参照）において、第１の鏡筒ケース２と第２の鏡筒ケース３と第３の鏡筒ケース４は取付ネジ８５、８５、８５によって固定される。取付ネジ８５は先端部が螺合部８５ａとして設けられ、例えば、第３の鏡筒ケース４のネジ締結孔３８ａ、第２の鏡筒ケース３のネジ締結孔２７ａ及び第１の鏡筒ケース２のネジ締結穴１５ａに順に挿通され、第１の鏡筒ケース２のネジ締結穴１５ａに螺合部８５ａが螺合される。
【０１４８】
従って、第１の鏡筒ケース２の左右両端部に設けられたネジ締結部１５、１５、１５と第３の鏡筒ケース４の左右両端部に設けられたネジ締結部３８、３８、３８には、取付ネジ８５、８５、８５によってともに第２の鏡筒ケース３の左右両端部に設けられたネジ締結部２７、２７、２７に近付く方向への力が付与される（図２６参照）。
【０１４９】
このとき、上記したように、第１の鏡筒ケース２の座面部１５ｂ、１５ｂ、・・・と第２の鏡筒ケース３の座面部２７ｂ、２７ｂ、・・・との間にそれぞれ僅かな隙間が形成されると共に第２の鏡筒ケース３の座面部２７ｃ、２７ｃ、・・・と第３の鏡筒ケース４の座面部３８ｂ、３８ｂ、・・・との間にそれぞれ僅かな隙間が形成されている。従って、第１の鏡筒ケース２の左右両端部と第３の鏡筒ケース４の左右両端部とが第２の鏡筒ケース３の左右両端部に近付く方向へ僅かに変形され（図２６参照）、第１の鏡筒ケース２の突き当て面１１ａ、１１ａ、・・・と第２の鏡筒ケース３の突き当て面２３ａ、２３ａ、・・・とが密着され、第２の鏡筒ケース３の突き当て面２４ａ、２４ａ、・・・と第３の鏡筒ケース４の突き当て面３６ａ、３６ａ、・・・とが密着される。
【０１５０】
上記したように、レンズ鏡筒１にあっては、第１の鏡筒ケース２、第２の鏡筒ケース３及び第３の鏡筒ケース４の保持枠部８、１８、３２の外周側に、結合された第１の鏡筒ケース２、第２の鏡筒ケース３及び第３の鏡筒ケース４を取付ネジ８５、８５、８５によって締結するネジ締結部１５、１５、１５、２７、２７、２７、３８、３８、３８が設けられている。
【０１５１】
従って、取付ネジ８５、８５、８５によってそれぞれ保持枠部８、１８、３２に設けられた突き当て部１１と突き当て部２３及び突き当て部２４と突き当て部３６が互いに近付く方向への力が生じ易く、突き当て部１１と突き当て部２３及び突き当て部２４と突き当て部３６を確実に接触させることができる。
【０１５２】
また、第１の鏡筒ケース２、第２の鏡筒ケース３及び第３の鏡筒ケース４が結合された状態において、ネジ締結部１５、２７、３８の座面部１５ｂと座面部２７ｂ及び座面部２７ｃと座面部３８ｂが非接触の状態とされている。
【０１５３】
従って、取付ネジ８５、８５、８５によってそれぞれ保持枠部８、１８、３２に設けられた突き当て部１１と突き当て部２３及び突き当て部２４と突き当て部３６が密着され、突き当て部１１と突き当て部２３及び突き当て部２４と突き当て部３６の良好な接触状態を確保することができる。
【０１５４】
さらに、上記のように第１の鏡筒ケース２、第２の鏡筒ケース３及び第３の鏡筒ケース４が結合された状態においては、突き当て部１１、１１、・・・と突き当て部２３、２３、・・・と突き当て部２４、２４、・・・と突き当て部３６、３６、・・・がそれぞれ結合方向において一直線Ｌ、Ｌ、・・・上に並んで配置される（図２５及び図２６参照）。
【０１５５】
従って、第１の鏡筒ケース２、第２の鏡筒ケース３及び第３の鏡筒ケース４の安定した結合状態が確保され、第１の鏡筒ケース２、第２の鏡筒ケース３及び第３の鏡筒ケース４が結合された状態における変形及び歪みの発生を防止することができる。
【０１５６】
上記のように構成されたレンズ鏡筒１は筐体１０１の内部に配置される（図２７参照）。
【０１５７】
レンズ鏡筒１の第１の鏡筒ケース２、第２の鏡筒ケース３及び第３の鏡筒ケース４にはそれぞれ前方へ突出された倒れ防止突部１６、１６、２８、２８、３９、３９が設けられている。倒れ防止突部１６、１６、２８、２８、３９、３９は前方への突出量が同じにされ、先端面が前後方向において同一の位置Ｐ１に存在する。
【０１５８】
筐体１０１には倒れ防止突部１６、１６、２８、２８、３９、３９にそれぞれ対向する位置に後方へ突出された受け突部１０１ａ、１０１ａ、１０１ｂ、１０１ｂ、１０１ｃ、１０１ｃが設けられている。
【０１５９】
第２の鏡筒ケース３の倒れ防止突部２８、２８に対向して位置される受け突部１０１ｂ、１０１ｂの突出量は受け突部１０１ａ、１０１ａ、１０１ｃ、１０１ｃの突出量より大きくされている。従って、倒れ防止突部２８、２８と受け突部１０１ｂ、１０１ｂの隙間が倒れ防止突部１６、１６と受け突部１０１ａ、１０１ａの隙間及び倒れ防止突部３９、３９と受け突部１０１ｃ、１０１ｃの隙間より小さくされている。
【０１６０】
また、上記したように、レンズ鏡筒１の第１の鏡筒ケース２、第２の鏡筒ケース３及び第３の鏡筒ケース４にはそれぞれ後方へ突出された傾き防止突部１７、１７、２９、２９、４０、４０が設けられている。傾き防止突部１７、１７、２９、２９、４０、４０は撮像装置１００の背面側に配置された表示ディスプレイ１０７の内面に対向して配置されている。
【０１６１】
上記のように、レンズ鏡筒１には、筐体１０１の内面に接触可能とされた倒れ防止突部１６、１６、２８、２８、３９、３９が設けられているため、外力によりレンズ鏡筒１に前方へ向かう力が付与されたときに、倒れ防止突部１６、１６、２８、２８、３９、３９がそれぞれ受け突部１０１ａ、１０１ａ、１０１ｂ、１０１ｂ、１０１ｃ、１０１ｃに接触可能とされる。
【０１６２】
従って、外力によるレンズ鏡筒１の変形及び歪みの発生を防止することが可能となる。
【０１６３】
また、倒れ防止突部１６、１６、２８、２８、３９、３９が筐体１０１に設けられた受け突部１０１ａ、１０１ａ、１０１ｂ、１０１ｂ、１０１ｃ、１０１ｃに対向して位置されている。
【０１６４】
従って、受け突部１０１ａ、１０１ａ、１０１ｂ、１０１ｂ、１０１ｃ、１０１ｃによって筐体１０１の剛性が高くされており、外力が発生したときのレンズ鏡筒１の変形及び歪みの発生を防止することができる。
【０１６５】
さらに、レンズ鏡筒１には、表示ディスプレイ１０７の内面に接触可能とされた傾き防止突部１７、１７、２９、２９、４０、４０が設けられているため、外力によりレンズ鏡筒１に後方へ向かう力が付与されたときに、傾き防止突部１７、１７、２９、２９、４０、４０が表示ディスプレイ１０７の内面に接触可能とされる。
【０１６６】
従って、外力によるレンズ鏡筒１の変形及び歪みの発生を防止することが可能となる。
【０１６７】
さらにまた、倒れ防止突部１６、１６、２８、２８、３９、３９と傾き防止突部１７、１７、２９、２９、４０、４０はそれぞれ前後方向において一直線上に並ぶ位置Ｑ、Ｑ、・・・に設けられている。
【０１６８】
従って、倒れ防止突部１６、１６、２８、２８、３９、３９と傾き防止突部１７、１７、２９、２９、４０、４０によって外力によるレンズ鏡筒１の変形及び歪みの発生の防止効果を高めることができる。
【０１６９】
加えて、上記のように、レンズ鏡筒１にあっては、倒れ防止突部２８、２８と受け突部１０１ｂ、１０１ｂの隙間が倒れ防止突部１６、１６と受け突部１０１ａ、１０１ａの隙間及び倒れ防止突部３９、３９と受け突部１０１ｃ、１０１ｃの隙間より小さくされている。
【０１７０】
従って、レンズ鏡筒１のうち、外力の発生時に最も変形が生じ易い上下方向における中央部に存在する倒れ防止突部２８、２８が受け突部１０１ｂ、１０１ｂに最も接触し易いため、レンズ鏡筒１の変形及び歪みを効果的に防止することができる。
【０１７１】
尚、上記には、第２の鏡筒ケース３の倒れ防止突部２８、２８に対向して位置される受け突部１０１ｂ、１０１ｂの突出量を受け突部１０１ａ、１０１ａ、１０１ｃ、１０１ｃの突出量より大きくすることにより、倒れ防止突部２８、２８と受け突部１０１ｂ、１０１ｂの隙間を小さくする例を示した。
【０１７２】
逆に、図２８に示すように、受け突部１０１ａ、１０１ａ、１０１ｂ、１０１ｂ、１０１ｃ、１０１ｃの突出量を同じにし、倒れ防止突部２８、２８の突出量を倒れ防止突部１６、１６、３９、３９の突出量より大きくして倒れ防止突部２８、２８と受け突部１０１ｂ、１０１ｂの隙間を小さくしてもよい。この場合には、受け突部１０１ａ、１０１ａ、１０１ｂ、１０１ｂ、１０１ｃ、１０１ｃの先端面が前後方向において同一の位置Ｐ２に存在する。
【０１７３】
また、図２９に示すように、傾き防止突部２９、２９の突出量を傾き防止突部１７、１７、４０、４０の突出量より大きくし、傾き防止突部２９、２９と表示ディスプレイ１０７の内面との隙間を小さくしてもよい。
【０１７４】
このように傾き防止突部２９、２９と表示ディスプレイ１０７の内面との隙間を小さくすることにより、レンズ鏡筒１のうち、外力の発生時に最も変形が生じ易い上下方向における中央部に存在する傾き防止突部２９、２９が表示ディスプレイ１０７の内面に最も接触し易いため、レンズ鏡筒１の変形及び歪みを効果的に防止することができる。
【０１７５】
さらに、レンズ鏡筒１においては、第１の鏡筒ケース２、第２の鏡筒ケース３及び第３の鏡筒ケース４の保持枠部８、１８、３２のうち、突き当て部１１、２３、２４、３６が設けられた部分が他の部分、例えば、前面部９ｃ、２１ｃ、２２ｃ、後面部９ｄ、２１ｄ、２２ｄより厚みの厚い厚肉部９ｂ、２１ｂ、２２ｂ、３６ｂとして設けられている。
【０１７６】
従って、厚肉部９ｂ、２１ｂ、２２ｂ、３６ｂである剛性の高い部分の端面に設けられた突き当て部１１、２３、２４、３６が互いに突き当てられるため、レンズ鏡筒１が組み立てられた状態における強度が高く、変形や歪みの発生を効果的に防止することができる。
【０１７７】
尚、第１の鏡筒ケース２の内部において光軸方向へ移動されるズーム移動枠５０の外周縁には前後左右に離隔した位置にそれぞれ切欠縁５０ａ、５０ａ、・・・が形成されている。また、第３の鏡筒ケース４の内部において光軸方向へ移動されるフォーカス移動枠６２の外周縁には前後左右に離隔した位置にそれぞれ切欠縁６２ａ、６２ａ、・・・が形成されている。
【０１７８】
従って、ズーム移動枠５０とフォーカス移動枠６２は切欠縁５０ａ、５０ａ、・・・、６２ａ、６２ａ、・・・によって厚肉部９ｂ、９ｂ、・・・、２１ｂ、２１ｂ、・・・、２２ｂ、２２ｂ、・・・、３６ｂ、３６ｂ、・・・との接触が回避され、円滑な移動状態が確保される。
【０１７９】
［その他］
以下に、突き当て部の数及び形状について説明する（図３０乃至図３３参照）。
【０１８０】
上記には、それぞれ四つずつの突き当て部１１、１１、・・・、２３、２３、・・・、２４、２４、・・・、３６、３６、・・・が設けられている例を示したが、突き当て部１１、２３、２４、３６はそれぞれ複数であれば任意の数を設けることが可能である（図３０及び図３１参照）。
【０１８１】
例えば、図３０に示すように、第１の鏡筒ケース２、第２の鏡筒ケース３及び第３の鏡筒ケース４の保持枠部８、１８、３２にそれぞれ三つずつの突き当て部１１、１１、１１、２３、２３、２３、２４、２４、２４、３６、３６、３６が設けられていてもよい。
【０１８２】
このように突き当て部１１、２３、２４、３６の数を減らすことにより、レンズ鏡筒１の構造をより簡素化することができる。
【０１８３】
三つずつの突き当て部１１、１１、１１、２３、２３、２３、２４、２４、２４、３６、３６、３６を設ける場合には、これらの三つずつの突き当て部１１、１１、１１、２３、２３、２３、２４、２４、２４、３６、３６、３６をそれぞれ１２０°の間隔で設けることが望ましい。三つずつの突き当て部１１、１１、１１、２３、２３、２３、２４、２４、２４、３６、３６、３６をそれぞれ１２０°の間隔で設けることにより、構造の簡素化を確保した上で第１の鏡筒ケース２、第２の鏡筒ケース３及び第３の鏡筒ケース４の結合状態の安定化を図ることができる。
【０１８４】
また、例えば、図３１に示すように、第１の鏡筒ケース２、第２の鏡筒ケース３及び第３の鏡筒ケース４の保持枠部８、１８、３２にそれぞれ二つずつの突き当て部１１、１１、２３、２３、２４、２４、３６、３６が設けられていてもよい。
【０１８５】
このように突き当て部１１、２３、２４、３６の数をさらに減らすことにより、レンズ鏡筒１の構造を一層簡素化することができる。
【０１８６】
二つずつの突き当て部１１、１１、２３、２３、２４、２４、３６、３６を設ける場合には、これらの二つずつの突き当て部１１、１１、２３、２３、２４、２４、３６、３６をそれぞれ前後方向、即ち、第１の鏡筒ケース２、第２の鏡筒ケース３及び第３の鏡筒ケース４の厚み方向において離隔して左右に延びるように設けることが望ましい。二つずつの突き当て部１１、１１、２３、２３、２４、２４、３６、３６をそれぞれ前後方向において離隔して設けることにより、構造の簡素化を確保した上で第１の鏡筒ケース２、第２の鏡筒ケース３及び第３の鏡筒ケース４の結合状態の安定化を図ることができる。
【０１８７】
尚、突き当て部１１、１１、・・・、２３、２３、・・・、２４、２４、・・・、３６、３６、・・・の数はそれぞれ五つ以上であってもよい。
【０１８８】
一方、上記には、突き当て部１１、２３、２４、３６が突出された形状に形成された例を示したが、レンズ鏡筒１においては、互いに突き当てられる一方の突き当て部１１、２３、２４、３６が突出された形状に形成されていればよい（図３２及び図３３参照）。
【０１８９】
この場合に、例えば、図３２に示すように、一方の突き当て部１１、２３、２４、３６の先端面が平面状に形成されていてもよく、また、例えば、図３３に示すように、一方の突き当て部１１、２３、２４、３６の外面が曲面状に形成され点接触される形状に形成されていてもよい。
【０１９０】
［撮像装置の一実施形態］
図３４に、本技術撮像装置の一実施形態によるデジタルスチルカメラのブロック図を示す。
【０１９１】
撮像装置（デジタルスチルカメラ）１００は、撮像機能を担うカメラブロック１１０と、撮影された画像信号のアナログ−デジタル変換等の信号処理を行うカメラ信号処理部１１１と、画像信号の記録再生処理を行う画像処理部１１２とを有している。また、撮像装置１００は、撮影された画像等を表示する表示ディスプレイ１０７と、メモリーカード１２０への画像信号の書込及び読出を行うＲ／Ｗ（リーダ／ライタ）１１３と、撮像装置の全体を制御するＣＰＵ（Central Processing Unit）１１４と、ユーザーによって所要の操作が行われる各種のスイッチ等から成る操作部１０２、１０６と、カメラブロック１１０に配置されたレンズの駆動を制御するレンズ駆動制御部１１５とを備えている。
【０１９２】
カメラブロック１１０は、レンズ鏡筒１やＣＣＤ（Charge Coupled Device）やＣＭＯＳ（Complementary Metal-Oxide Semiconductor）等の撮像素子８４等を有する撮像ユニット８２とによって構成されている。
【０１９３】
カメラ信号処理部１１１は、撮像素子８４からの出力信号に対するデジタル信号への変換、ノイズ除去、画質補正、輝度・色差信号への変換等の各種の信号処理を行う。
【０１９４】
画像処理部１１２は、所定の画像データーフォーマットに基づく画像信号の圧縮符号化・伸張復号化処理や解像度等のデーター仕様の変換処理等を行う。
【０１９５】
表示ディスプレイ１０７はユーザーの操作部１０２、１０６に対する操作状態や撮影した画像等の各種のデーターを表示する機能を有している。
【０１９６】
Ｒ／Ｗ１１３は、画像処理部１１２によって符号化された画像データーのメモリーカード１２０への書込及びメモリーカード１２０に記録された画像データーの読出を行う。
【０１９７】
ＣＰＵ１１４は、撮像装置１００に設けられた各回路ブロックを制御する制御処理部として機能し、操作部１０２、１０６からの指示入力信号等に基づいて各回路ブロックを制御する。
【０１９８】
操作部１０２、１０６は、例えば、シャッター操作を行うためのシャッター釦や動作モードを切り替えるモード切替摘子等によって構成され、ユーザーによる操作に応じた指示入力信号をＣＰＵ１１４に対して出力する。
【０１９９】
レンズ駆動制御部１１５は、ＣＰＵ１１４からの制御信号に基づいてレンズ鏡筒１の各レンズを駆動するモーター４５ａ、６０ｃ等を制御する。
【０２００】
メモリーカード１２０は、例えば、Ｒ／Ｗ１１３に接続されたスロットに対して着脱可能な半導体メモリーである。
【０２０１】
以下に、撮像装置１００における動作を説明する。
【０２０２】
撮影の待機状態では、ＣＰＵ１１４による制御の下で、カメラブロック１１０において撮影された画像信号が、カメラ信号処理部１１１を介して表示ディスプレイ１０７に出力され、カメラスルー画像として表示される。また、操作部１０２、１０６からのズーミングのための指示入力信号が入力されると、ＣＰＵ１１４がレンズ駆動制御部１１５に制御信号を出力し、レンズ駆動制御部１１５の制御に基づいてレンズ鏡筒１の所定のレンズが移動される。
【０２０３】
操作部１０２、１０６からの指示入力信号によりカメラブロック１１０の図示しないシャッターが動作されると、撮影された画像信号がカメラ信号処理部１１１から画像処理部１１２に出力されて圧縮符号化処理され、所定のデーターフォーマットのデジタルデーターに変換される。変換されたデーターはＲ／Ｗ１１３に出力され、メモリーカード１２０に書き込まれる。
【０２０４】
ズーミングは、例えば、操作部（ズーム摘子）１０６が操作された場合に、ＣＰＵ１１４からの制御信号に基づいてレンズ駆動制御部１１５がレンズ鏡筒１のズーム移動枠５０を移動させることにより行われる。
【０２０５】
フォーカシングは、例えば、操作部（シャッター釦）１０２が半押しされた場合や記録（撮影）のために全押しされた場合等に、ＣＰＵ１１４からの制御信号に基づいてレンズ駆動制御部１１５がレンズ鏡筒１のフォーカス移動枠６２を移動させることにより行われる。
【０２０６】
メモリーカード１２０に記録された画像データーを再生する場合には、操作部１０２、１０６に対する操作に応じて、Ｒ／Ｗ１１３によってメモリーカード１２０から所定の画像データーが読み出され、画像処理部１１２によって伸張復号化処理が行われた後、再生画像信号が表示ディスプレイ１０７に出力されて再生画像が表示される。
【０２０７】
尚、上記には、第１の鏡筒ケース２、第２の鏡筒ケース３及び第３の鏡筒ケース４の三つの鏡筒ケースが設けられた例を示したが、本技術は三つの鏡筒ケースが設けられた場合に限られることはなく、二つ又は四つ以上の複数の鏡筒ケースが設けられた場合にも適用することができる。
【０２０８】
尚、上記した実施の形態においては、撮像装置をデジタルスチルカメラに適用した例を示したが、撮像装置の適用範囲はデジタルスチルカメラに限られることはなく、デジタルビデオカメラ、カメラが組み込まれた携帯電話、カメラが組み込まれたＰＤＡ（Personal Digital Assistant）等のデジタル入出力機器のカメラ部等として広く適用することができる。
【０２０９】
［まとめ］
以上に記載した通り、レンズ鏡筒１にあっては、第１の鏡筒ケース２、第２の鏡筒ケース３及び第３の鏡筒ケース４の保持枠部８、１８、３２に、第１の鏡筒ケース２、第２の鏡筒ケース３及び第３の鏡筒ケース４が結合された状態において互いに突き当てられる複数の突き当て部１１、２３、２４、３６が設けられている。
【０２１０】
従って、第１の鏡筒ケース２、第２の鏡筒ケース３及び第３の鏡筒ケース４が結合された状態において変形及び歪みの発生を防止することができ、同一の製品における製品間の光学的な解像性能のバラツキの発生を防止することができる。
【０２１１】
特に、上記のような折曲光学系のレンズ鏡筒１にあっては、第１の鏡筒ケース２に配置された固定群である第１レンズ群９０と第２の鏡筒ケース３に配置された固定群である第３レンズ群９２との位置関係が光学性能に大きく寄与する。
【０２１２】
従って、上記のように、第１の鏡筒ケース２、第２の鏡筒ケース３及び第３の鏡筒ケース４が結合された状態において変形及び歪みの発生を防止することにより、レンズ鏡筒１のような折曲光学系のタイプにおいて、光学性能の大幅な向上を図ることが可能である。
【０２１３】
また、突き当て部１１、２３、２４、３６が突き当てられる側に突出する形状に形成されているため、突き当て部１１、２３、２４、３６間の良好な接触状態が確保され、レンズ鏡筒１における変形及び歪みの発生を一層防止することができる。
【０２１４】
また、突き当て部１１、２３、２４、３６の先端面が平面状の突き当て面１１ａ、２３ａ、２４ａ、３６ａとして形成されているため、突き当て部１１、２３、２４、３６が面接触され、レンズ鏡筒１における変形及び歪みの発生を一層効果的に防止することができる。
【０２１５】
さらに、保持枠部８、１８、３２にそれぞれ複数の突き当て部１１、１１、・・・、２３、２３、・・・、２４、２４、・・・、３６、３６、・・・が設けられているため、第１の鏡筒ケース２、第２の鏡筒ケース３及び第３の鏡筒ケース４の安定した結合状態が確保されレンズ鏡筒１における変形及び歪みの発生を防止することができる。
【０２１６】
［本技術］
本技術は、以下のような構成にすることができる。
【０２１７】
（１）光学部材を保持する保持枠部をそれぞれ有し所定の方向において結合される複数の鏡筒ケースを備え、前記各保持枠部に前記鏡筒ケースが結合された状態において互いに突き当てられる複数の突き当て部がそれぞれ設けられ、結合される少なくとも一方の前記鏡筒ケースの突き当て部が他方の前記鏡筒ケースの突き当て部側に突出する形状に形成されたレンズ鏡筒。
【０２１８】
（２）互いに突き当てられる前記各突き当て部を突き当てられる前記突き当て部側に突出する形状に形成した前記（１）に記載のレンズ鏡筒。
【０２１９】
（３）前記突き当て部を前記保持枠部に少なくとも三つ設けた前記（１）又は前記（２）に記載のレンズ鏡筒。
【０２２０】
（４）前記所定の方向において少なくとも三つの前記鏡筒ケースが結合され、前記各鏡筒ケースに設けられ互いに突き当てられる前記突き当て部を鏡筒ケースの結合方向において一直線上に並ぶ位置に設けた前記（１）から前記（３）の何れかに記載のレンズ鏡筒。
【０２２１】
（５）前記突き当て部に面接触される平面状の突き当て面が形成された前記（１）から前記（４）の何れかに記載のレンズ鏡筒。
【０２２２】
（６）前記保持枠部の前記突き当て部が設けられた部分が前記保持枠部の他の部分より前記鏡筒ケースの結合方向に直交する方向において厚い厚肉部として設けられた前記（１）から前記（５）の何れかに記載のレンズ鏡筒。
【０２２３】
（７）前記鏡筒ケースの前記保持枠部の外周側に、結合された前記各鏡筒ケースを取付ネジによって締結するネジ締結部が設けられた前記（１）から前記（６）の何れかに記載のレンズ鏡筒。
【０２２４】
（８）前記各鏡筒ケースが結合された状態において、前記各ネジ締結部が非接触の状態とされた前記（７）に記載のレンズ鏡筒。
【０２２５】
（９）撮像装置の筐体の内部に配置され、前記鏡筒ケースに、前記筐体の内面に接触可能とされ前記内面側に突出された倒れ防止突部を設けた前記（１）から前記（８）の何れかに記載のレンズ鏡筒。
【０２２６】
（１０）前記倒れ防止突部が前記筐体の内面に前記倒れ防止突部側へ突出して設けられた受け突部に対向して位置された前記（９）に記載のレンズ鏡筒。
【０２２７】
（１１）前記鏡筒ケースの前記倒れ防止突部が設けられた面と反対側の面に傾き防止突部を設けた前記（９）又は前記（１０）に記載のレンズ鏡筒。
【０２２８】
（１２）前記倒れ防止突部と前記傾き防止突部を前記結合方向に直交する方向において一直線上に並ぶ位置に設けた前記（１１）に記載のレンズ鏡筒。
【０２２９】
（１３）前記鏡筒ケースが三つ結合され、中央に位置する鏡筒ケースの倒れ防止突部と筐体の内面との間隔を、他の鏡筒ケースの倒れ防止突部と筐体の内面との間隔より小さくした前記（９）から前記（１２）の何れかに記載のレンズ鏡筒。
【０２３０】
（１４）前記鏡筒ケースが三つ結合され、中央に位置する鏡筒ケースの傾き防止突部と筐体の内面との間隔を、他の鏡筒ケースの傾き防止突部と筐体の内面との間隔より小さくした前記（１１）から前記（１３）の何れかに記載のレンズ鏡筒。
【０２３１】
（１５）筐体と筐体の内部に配置され所定の光学部材を有し前記光学部材を介して光学像を取り込む鏡筒とを備え、前記レンズ鏡筒は、光学部材を保持する保持枠部をそれぞれ有し所定の方向において結合される複数の鏡筒ケースを備え、前記各保持枠部に前記鏡筒ケースが結合された状態において互いに突き当てられる複数の突き当て部がそれぞれ設けられ、結合される少なくとも一方の前記鏡筒ケースの突き当て部が他方の前記鏡筒ケースの突き当て部側に突出する形状に形成された撮像装置。
【０２３２】
上記した最良の形態において示した各部の具体的な形状及び構造は、何れも本技術を実施する際の具体化のほんの一例を示したものにすぎず、これらによって本技術の技術的範囲が限定的に解釈されることがあってはならないものである。
【図面の簡単な説明】
【０２３３】
【図１】図２乃至図３４と共に本技術の最良の形態を示すものであり、本図は、開閉蓋が閉塞された状態で示す撮像装置の斜視図である。
【図２】開閉蓋が開放された状態で示す撮像装置の斜視図である。
【図３】撮像装置の背面図である。
【図４】レンズ鏡筒の主に前面側を示す拡大斜視図である。
【図５】レンズ鏡筒の主に後面側を示す拡大斜視図である。
【図６】レンズ鏡筒の主に前面側を示す分解斜視図である。
【図７】レンズ鏡筒の主に後面側を示す分解斜視図である。
【図８】第１の鏡筒ケースの主に前面側を示す拡大斜視図である。
【図９】第１の鏡筒ケースの主に後面側を示す拡大斜視図である。
【図１０】第１の鏡筒ケースの主に上面側を示す拡大斜視図である。
【図１１】第２の鏡筒ケースの主に前面側を示す拡大斜視図である。
【図１２】第２の鏡筒ケースの主に後面側を示す拡大斜視図である。
【図１３】第２の鏡筒ケースの主に上面側を示す拡大斜視図である。
【図１４】第２の鏡筒ケースの主に下面側を示す拡大斜視図である。
【図１５】第３の鏡筒ケースの主に前面側を示す拡大斜視図である。
【図１６】第３の鏡筒ケースの主に後面側を示す拡大斜視図である。
【図１７】第３の鏡筒ケースの主に上面側を示す拡大斜視図である。
【図１８】ズーム移動枠の拡大斜視図である。
【図１９】フォーカス移動枠の拡大斜視図である。
【図２０】レンズ鏡筒のレンズ構成等を示す概念図である。
【図２１】第１の鏡筒ケースと第２の鏡筒ケースを示す拡大分解斜視図である。
【図２２】第１の鏡筒ケースと第２の鏡筒ケースが結合された状態を示す概略拡大断面図である。
【図２３】第２の鏡筒ケースと第３の鏡筒ケースを示す拡大分解斜視図である。
【図２４】第２の鏡筒ケースと第３の鏡筒ケースが結合された状態を示す概略拡大断面図である。
【図２５】第１の鏡筒ケースと第２の鏡筒ケースと第３の鏡筒ケースが結合された状態を示す概略拡大断面図である。
【図２６】第１の鏡筒ケースと第２の鏡筒ケースと第３の鏡筒ケースが結合され取付ネジによって固定された状態を示す概略拡大断面図である。
【図２７】筐体とレンズ鏡筒の倒れ防止突部及び傾き防止突部との間の位置関係等を示す概念図である。
【図２８】筐体とレンズ鏡筒の倒れ防止突部及び傾き防止突部との間の別の位置関係等を示す概念図である。
【図２９】筐体とレンズ鏡筒の倒れ防止突部及び傾き防止突部との間のまた別の位置関係等を示す概念図である。
【図３０】三つの突き当て部が設けられた例を示す概念図である。
【図３１】二つの突き当て部が設けられた例を示す概念図である。
【図３２】一方の突き当て部が突出された形状に形成された例を示す概念図である。
【図３３】一方の突き当て部が外面が曲面にされて突出された形状に形成されたた例を示す概念図である。
【図３４】撮像装置のブロック図である。
【符号の説明】
【０２３４】
１００…撮像装置、１０１…筐体、１０１ａ…受け突部、１０１ｂ…受け突部、１０１ｃ…受け突部、１…レンズ鏡筒、２…第１の鏡筒ケース、３…第２の鏡筒ケース、４…第３の鏡筒ケース、８…保持枠部、９ｂ…厚肉部、１１…突き当て部、１１ａ…突き当て面、１５…ネジ締結部、１６…倒れ防止突部、１７…傾き防止突部、１８…保持枠部、２１ｂ…厚肉部、２２ｂ…厚肉部、２３…突き当て部、２３ａ…突き当て面、２４…突き当て部、２４ａ…突き当て面、２７…ネジ締結部、２８…倒れ防止突部、２９…傾き防止突部、３２…保持枠部、３６…突き当て部、３６ａ…突き当て面、３６ｂ…厚肉部、３８…ネジ締結部、３９…倒れ防止突部、４０…傾き防止突部、８５…取付ネジ
【図１】
2013050554.tif 000003
【図２】
2013050554.tif 000004
【図３】
2013050554.tif 000005
【図４】
2013050554.tif 000006
【図５】
2013050554.tif 000007
【図６】
2013050554.tif 000008
【図７】
2013050554.tif 000009
【図８】
2013050554.tif 000010
【図９】
2013050554.tif 000011
【図１０】
2013050554.tif 000012
【図１１】
2013050554.tif 000013
【図１２】
2013050554.tif 000014
【図１３】
2013050554.tif 000015
【図１４】
2013050554.tif 000016
【図１５】
2013050554.tif 000017
【図１６】
2013050554.tif 000018
【図１７】
2013050554.tif 000019
【図１８】
2013050554.tif 000020
【図１９】
2013050554.tif 000021
【図２０】
2013050554.tif 000022
【図２１】
2013050554.tif 000023
【図２２】
2013050554.tif 000024
【図２３】
2013050554.tif 000025
【図２４】
2013050554.tif 000026
【図２５】
2013050554.tif 000027
【図２６】
2013050554.tif 000028
【図２７】
2013050554.tif 000029
【図２８】
2013050554.tif 000030
【図２９】
2013050554.tif 000031
【図３０】
2013050554.tif 000032
【図３１】
2013050554.tif 000033
【図３２】
2013050554.tif 000034
【図３３】
2013050554.tif 000035
【図３４】
2013050554.tif 000036